(57)【特許請求の範囲】
【請求項１】
ポリエチレンスリーブで被覆した管継手部外面に巻き付け固定される一対の周方向緊締部材の一方が屈曲性を有する合成樹脂製のベルト体、他方がゴムバンドとされ、前記継手部の少なくとも下半底部に沿って前記緊締部材間に架設配置される複数の軸方向支持部材からなるポリエチレンスリーブ工法用継手部固定ネットであって、前記ベルト体には長さ方向適宜間隔毎に嵌合孔が穿設され、前記軸方向支持部材は、少なくとも一端に前記嵌合孔に嵌合する突起が形成された長尺体とされ、前記突起を前記嵌合孔に嵌合させた状態で前記周方向緊締部材に前記軸方向支持部材が固定されるよう構成されてなるポリエチレンスリーブ工法用継手部固定ネット。
【請求項２】
請求項１におけるポリエチレンスリーブ工法用継手部固定ネットにおいて、周方向緊締部材のゴムバンドが屈曲性を有する合成樹脂製のベルト体に置換され、一対の周方向緊締部材がいずれも屈曲性を有する合成樹脂製のベルト体とされているポリエチレンスリーブ工法用継手部固定ネット。
【請求項３】
請求項１または２におけるポリエチレンスリーブ工法用継手部固定ネットの軸方向支持部材の断面が扁平な長方形状とされ、かつ該断面のうち管外周に巻きつけられるポリエチレンスリーブに対する面の角のみが丸みを帯びた角とされているポリエチレンスリーブ工法用継手部固定ネット。
【発明の詳細な説明】
【０００１】
【発明の属する技術分野】
この発明は、ポリエチレンスリーブ工法用継手部固定ネットに関する。
【０００２】
【従来の技術】
従来、地中埋設した鋳鉄管など金属管が、腐食性土壌や地下水等の影響により腐蝕や電食を受けるのを防止するため、管をポリエチレンスリーブで被覆し、複数箇所をゴムバンドで締め付けて固定した上で埋設する、いわゆるポリエチレンスリーブ工法が行われている。
【０００３】
しかし、この工法では、地下水の存在する場所では、継手部分に侵入した地下水が次第に滞留し、腐蝕が発生することがある。そこで、管継手下面部に侵入した地下水によってポリエチレンスリーブが垂れ下がるのを防止するため、図５、図６に示すように、継手部２を被覆するポリエチレンスリーブ１の下方から固定ネット７があてがわれる。この固定ネット７は、管継手両側の管周囲に巻きつけられる周方向緊締部材３と軸方向に架設配置される複数の軸方向支持部材４とからなり、周方向緊締部材３、３をバックル５で締め付け固定することにより継手部外周に取り付けるようにされている。
【０００４】
【発明が解決しようとする課題】
ところで、上記ネットは従来、柔軟なゴム製素材よりなる周方向緊締部材３と軸方向支持部材４の交叉部６…６を締結して網状に形成するか、あるいは型によって縦横部材を一体化したものを成形するかのいずれかによっていたが、前者のものは周方向緊締部材３と軸方向支持部材４のいずれもが容易に屈曲変形するので縦横の両部材３、４を結止する作業中に、相互の位置がずれやすく、これらを防止するための仮支持に手間が掛かる欠点があった。
【０００５】
後者の一体成形によるものは、ネットの成形型が必要となるので製造コストがかかるといった欠点がある上、一種類のネットに適用し得る管継手も一定範囲内に決まってしまい、一種類のポリエチレンスリーブ工法用継手部固定ネットを種々の大きさの管継手に幅広く適用させることはできないといった問題があった。
【０００６】
この発明は上記問題を解消し、簡単に組立可能でしかも安価に提供できる上、少々の大きさの差があってもこれらに応じて弾力的に対応できるポリエチレンスリーブ工法用継手部固定ネットを提供することを課題としてなされたものである。
【０００７】
【課題を解決するための手段】
上記課題を解決するため、請求項１のポリエチレンスリーブ工法用継手部固定ネットは、ポリエチレンスリーブで被覆した管継手部外面に巻き付け固定される一対の周方向緊締部材の一方が屈曲性を有する合成樹脂製のベルト体、他方がゴムバンドとされ、前記継手部の少なくとも下半底部に沿って前記緊締部材間に架設配置される複数の軸方向支持部材からなるポリエチレンスリーブ工法用継手部固定ネットであって、前記ベルト体には長さ方向適宜間隔毎に嵌合孔が穿設され、前記軸方向支持部材は、少なくとも一端に前記嵌合孔に嵌合する突起が形成された長尺体とされ、前記突起を前記嵌合孔に嵌合させた状態で前記周方向緊締部材に前記軸方向支持部材が固定されるよう構成されてなるものである。
【０００８】
従って、この請求項１のポリエチレンスリーブ工法用継手部固定ネットによれば、周方向緊締部材に対し軸方向支持部材を取り付ける場合に、嵌合孔に軸方向支持部材の突起を嵌合させればよいので、屈曲しやすい部材であっても相互の固定が確実に行え、位置決めや取り付け作業が容易となるのである。なお、固定手段としては、締め付け部材に夜締結固定の他、熱溶着による固定の場合もある。
【０００９】
また、ゴムバンドは、弾性を有するので締付け部材の締付け力によって圧縮変形するので、固定後に周方向緊締部材の沿って移動することはない。
請求項２のポリエチレンスリーブ工法用継手部固定ネットは、請求項１におけるポリエチレンスリーブ工法用継手部固定ネットにおいて、周方向緊締部材のゴムバンドが屈曲性を有する合成樹脂製のベルト体に置換され、一対の周方向緊締部材がいずれも屈曲性を有する合成樹脂製のベルト体とされているものである。
【００１０】
この場合は、両方の周方向緊締部材が合成樹脂製のベルトとされるので軸方向支持部材を嵌合孔と突起とにより両方の周方向緊締部材に正確に位置決めして固定できる。
【００１１】
請求項３のポリエチレンスリーブ工法用継手部固定ネットは、請求項１または２におけるポリエチレンスリーブ工法用継手部固定ネットの軸方向支持部材が合成樹脂製の長尺体とされているとともに、その断面が扁平な長方形とされ、かつ該断面のうち管外周のポリエチレンスリーブに対する面の角が丸みを帯びた角とされているものである。
【００１２】
従って、ポリエチレンスリーブの垂れ下がりを支える軸方向支持部材のポリエチレンスリーブに対するあたりが和らげられ、接触状態によって生じ得るポリエチレンスリーブの傷付が防止される。
【００１３】
そして、角が丸いか角張っているかの触覚だけで表裏が判断できるので目視が困難な場所での表裏の判断が容易にできるといった効果もある。
さらに、成形時上記丸みのために型抜きも容易になる効果もある。
【００１４】
【発明の実施の形態】
次に、この発明の実施の形態を説明する。
図１は、この発明の実施の形態のポリエチレンスリーブ工法用継手部固定ネットの平面図、図２は図１の部分拡大図のＡ-Ａ線断面図を示す。
【００１５】
図１において、ポリエチレンスリーブ工法用継手部固定ネット１０は継手部外面の周方向に沿う一対の周方向緊締部材１１、１１と、継手部２の少なくとも下底部に沿って前記緊締部材１１、１１と交差状態で連結される、複数の軸方向支持部材１２…とから構成されている。
【００１６】
上記の周方向緊締部材１１は耐薬品性に優れ引張強度、伸縮弾性に優れた合成樹脂例えばポリエチレンなどでベルト状に成型されている。
そして、周方向緊締部材１１の一端にはバックル１３が設けられ、他端１１ａをこのバックル１３内に挿通して締め上げれば、バックル１３内に設けられた爪(図示せず)が周方向緊締部材１１側面に形成された凹溝(図示せず)に嵌合して抜けないように固定されるように構成されている。
【００１７】
なお、この周方向緊締部材１１は、他側のものを図示のように、ゴムバンド１９とされる。なお、両方の雌雄方向緊締部材１１、１１をゴムバンド１９としても良く、また逆に両方を合成樹脂製の屈曲性のあるベルト体としても良いことは言うまでも無い。
【００１８】
ゴムバンドは、図示のようにＵ字状に屈曲し、開放端部側にバックル１３を取り付け、他側のループ部２０を図３に示すようにバックル１３に引っ掛けてとめるようにされている。
【００１９】
そして、ベルト体とした周方向緊締部材１１には、適宜間隔毎に嵌合孔１５…が形成されている。
そして、周方向緊締部材１１に交差して固定される軸方向支持部材１２は、図２に断面を示すように、扁平な断面とされた平板棒状の長尺体とされ、少なくとも一端には、前記嵌合孔１５に嵌合する突起１６が設けられている。
【００２０】
なお、この軸方向支持部材１２は、図４に示すようにポリエチレンスリーブ１に対面する側の角１２ａ、１２ａを丸くするのが好ましい。
他の角１２ｂ、１２ｂのようにエッジとしておくと、接触状態によってはポリエチレンスリーブ１を刃物で切ったように切ってしまうことがあるからである。
【００２１】
さらに、このように角を丸くしておくと、目視できないような作業環境、たとえば管の裏側で、手元の見えない管越しの作業となる場合や、暗い環境での作業となる場合などに、表裏が触覚だけで判別が可能となる。
【００２２】
また、この長尺体を型により成型する場合、角の丸い部分から型抜が容易にでき成型も簡単になる等の効果を有する。
軸方向支持部材１２の周方向緊締部材１１に対する固定は、突起１６を嵌合孔１５に嵌合し、図２に示すように締め付け部材１７を軸方向支持部材１２に形成した挿通孔１２ｃに挿通したあと端部１２ｄをめぐらせ、両端を、係合爪１８ａを有する締め付けバックル１８に通し、締め付けることによって両者を所定位置に位置決めして固定し、余剰部分１２ｅを切り取ることによって取付けられている。
【００２３】
なお、このような締め付け部材１7による固定方法の他、突起１６を嵌合孔１５に嵌合して位置決めした状態で両者を熱溶着によって固定しても良い。この方法による場合は大量生産的処理ができて都合が良い。
【００２４】
次に、このポリエチレンスリーブ工法用継手部固定ネットの使用状態を説明する。
まず、周方向緊締部材１１の要所の嵌合孔１５に軸方向支持部材１２の突起１６を嵌合させることにより位置決めし、ついで締め付け部材１７を軸方向緊締部材１２の挿通孔１２ｃに矢印で示すように挿通しその端部を軸方向支持部材１２の端部からバックル１８に挿通する。なお、熱溶着の場合は、周方向緊締部材１１の要所の嵌合孔１５に軸方向支持部材１２の突起１６を嵌合させることにより位置決めしたあと、加熱装置により溶着して行く。
【００２５】
一方、締め付け部材１７の他端もバックル１８に挿通し両者を一体に牽引し、バックル１８内の爪１８ａ、１８ａを締め付け部材１７、１７の凹凸１７ａに嵌合させて固定する。
【００２６】
このとき、周方向緊締部材１１と、軸方向緊締部材１２とは、嵌合孔１５と突起１６との嵌合により相互の位置がずれにくいので、緊締部材１７とバックル１８とによる緊締作業も容易に行え、緊締後の位置ずれも生じない。
【００２７】
周方向緊締部材１１に対し軸方向支持部材１２を上記と同様にして順次取り付けていく。
そして、軸方向支持部材１２の他端側にも同様にして周方向支持部材１１を取り付けていくが、この他端側の周方向支持部材が図示のように、ゴムバンドである場合は、軸方向支持部材１２…を一方の周方向緊締部材１１に取り付けた後に、軸方向支持部材１２…をゴムバンド１９に取り付ける。
【００２８】
この場合は、軸方向支持部材１２は、他側を周方向緊締部材１１に固定されているのでゴムバンド１９も容易に取り付けることができる。また、ゴムバンド１９は、緊締部材１７で締め付けた際、図１に示すように縮径変形するので、緊締後は位置ずれを起こすことがない。
【００２９】
そして、ポリエチレンスリーブ工法によりスリーブを被覆した管継手部分に軸方向支持部材を下面からあてがい、周方向緊締部材１１を管外周に緊締して固定する。
【００３０】
このとき、軸方向支持部材１２のポリエチレンスリーブ側の角が図４に示すように丸く成形されている場合は、鋭くとがったエッジによってポリエチレンスリーブを傷つけてしまうといった事故が防げる。
【００３１】
このように緊締することによって、周方向緊締部材１１によってポリエチレンスリーブと管外周との間が水密にシールされ、軸方向支持部材１２によって管継手底面部分のポリエチレンスリーブの垂れ下がりが防止され、地下水の浸入、滞留といったことも防止される。
【００３２】
【発明の効果】
以上説明したように、管継手部分に被せられたポリエチレンスリーブの下面部分の垂れ下がりを防止するために取付けられるポリエチレンスリーブ工法用継手部固定ネットが、嵌合孔と突起との組み合わせによって容易に所定間隔を保って組み立てることができ、また、いくつかの材料の組み合わせにより任意の大きさの管継手に対して適用可能な大きさに組み立てることができ、汎用性が増すといった効果を有する。さらに、軸方向支持部材のポリエチレンスリーブ側だけの角を丸くすることによってポリエチレンスリーブとの滑りを良くし傷つけてしまう事故が防げ、さらに一方の側の角だけが丸くされていることで型による成形も容易になり、それだけ安価に提供できるなど種々の効果を有する。
【図面の簡単な説明】
【図１】この発明の実施の形態であるポリエチレンスリーブ工法用継手部固定ネットの平面図である。
【図２】図１に示した部分拡大図のＡ-Ａ線断面図である。
【図３】ゴムバンドの緊締状態を示す要部説明斜視図である。
【図４】軸方向支持部材の断面図である。
【図５】従来工法の側面図である。
【図６】図５の断面図である。
【符号の説明】
１      ポリエチレンスリーブ
２      管継手
１０      ポリエチレンスリーブ工法用継手部固定ネット
１１      周方向緊締部材
１２      軸方向支持部材
１２ａ    丸みを持たせた角
１２ｂ    丸みを持たせない角
１３      バックル
１５      嵌合孔
１６      突起
１７      締め付け部材
１８      バックル
１９      ゴムバンド
【図１】
0003729795.tif 000002
【図２】
0003729795.tif 000003
【図３】
0003729795.tif 000004
【図４】
0003729795.tif 000005
【図５】
0003729795.tif 000006
【図６】
0003729795.tif 000007